(57)【特許請求の範囲】
【請求項１】
固定焦点距離の撮影レンズを備え、ユニット本体にシャッタを含む撮影機構が組み込まれ、前記ユニット本体内には、写真フィルムの一端を係止した回転自在なスプール軸を有するパトローネを収納するためのパトローネ収納室と、前記パトローネから引き出して形成した未露光写真フィルムのロールを収納するためのフィルムロール収納室とが形成され、製造時にパトローネと該パトローネから引き出された未露光写真フィルムのロールがそれぞれ前記パトローネ収納室と前記フィルムロール収納室に予め装填されており、撮影ごとに前記スプール軸を回転させて露光済みの写真フィルムをパトローネに巻き込むようにしたレンズ付きフィルムユニットであって、
前記撮影レンズのピント設定位置を、予め定められた通常撮影位置と近接撮影位置の間で切り換える切換部材と、
撮影視野ファインダーと、
が設けられ、
前記撮影視野ファインダーの前部に、ユニット後方から該ファインダーを通して被写体を視認できるように該被写体からの光の少なくとも一部を透過させ、反射対透過の比率が０：１０ないし５：５の間にある透明体又はハーフミラーからなる透光性部材が固定配置され、
前記切換部材が前記近接撮影位置にある時に前記透光性部材の背面の輝度を低下させて前記透光性部材における反射によりユニット前方から撮影視野の確認を容易にするための減光部材が前記撮影視野枠内に出し入れ可能に配置された、
ことを特徴とするレンズ付きフィルムユニット。
【請求項２】
ユニット本体にシャッタを含む撮影機構が組み込まれ、前記ユニット本体内には、写真フィルムの一端を係止した回転自在なスプール軸を有するパトローネを収納するためのパトローネ収納室と、前記パトローネから引き出して形成した未露光写真フィルムのロールを収納するためのフィルムロール収納室とが形成され、製造時にパトローネと該パトローネから引き出された未露光写真フィルムのロールがそれぞれ前記パトローネ収納室と前記フィルムロール収納室に予め装填されており、撮影ごとに前記スプール軸を回転させて露光済みの写真フィルムをパトローネに巻き込むようにしたレンズ付きフィルムユニットであって、
前記ユニット本体に対して固定関係に配置されたレンズ保持筒と、
撮影レンズが固定されており、前記レンズ保持筒内に回転及び光軸方向の移動が可能なように配置されたレンズ枠と、
前記レンズ保持筒と前記レンズ枠との間に設けられたカム機構と、
予め定められた通常撮影位置と近接撮影位置の間を移動可能なようにカメラ本体に配置され、移動することによって前記レンズ枠を回転させ、前記カム機構の作用により該レンズ枠に光軸方向の移動を生じさせる切換部材と、
撮影視野ファインダーと、
が設けられ、
前記撮影視野ファインダーの前部に、ユニット後方から該ファインダーを通して被写体を視認できるように該被写体からの光の少なくとも一部を透過させ、反射対透過の比率が０：１０ないし５：５の間にある透明体又はハーフミラーからなる透光性部材が固定配置され、
前記切換部材が前記近接撮影位置にある時に前記透光性部材の背面の輝度を低下させて前記透光性部材における反射によりユニット前方から撮影視野の確認を容易にするための減光部材が前記撮影視野枠内に出し入れ可能に配置された、
ことを特徴とするレンズ付きフィルムユニット。
【請求項３】
固定焦点距離の撮影レンズと、シャッタ機構を含む撮影機構と、前記撮影レンズを近接撮影位置と通常撮影位置を含む複数のピント設定位置に切り換える切換部材と、撮影視野ファインダーとを備えた写真撮影用カメラであって、
前記撮影視野ファインダーの前部に、ユニット後方から該ファインダーを通して被写体を視認できるように該被写体からの光の少なくとも一部を透過させ、反射対透過の比率が０：１０ないし５：５の間にある透明体又はハーフミラーからなる透光性部材が固定配置され、
前記切換部材が前記近接撮影位置にある時に前記透光性部材の背面の輝度を低下させてユニット前方から撮影視野の確認を容易にするための減光部材が前記撮影視野枠内に出し入れ可能に配置された、
ことを特徴とする写真撮影用カメラ。
【請求項４】
請求項１から請求項３までのいずれか１項に記載したレンズ付きフィルムユニット又は写真撮影用カメラであって、
前記切換部材が近接撮影位置にあるとき前記撮影視野ファインダーに重なって近接撮影の範囲を示す視差補正近接視野枠が前記切換部材に一体に設けられ、
前記減光部材は前記近接視野枠に設けられたことを特徴とするレンズ付きフィルムユニット又は写真撮影用カメラ。
【請求項５】
請求項１から請求項４までのいずれか１項に記載したレンズ付きフィルムユニット又は写真撮影用カメラであって、
前記減光部材は、ユニット後方から該ファインダーを通した被写体の視認を可能にする程度の透光性を有することを特徴とするレンズ付きフィルムユニット又は写真撮影用カメラ。
【請求項６】
請求項１から請求項５までのいずれか１項に記載したレンズ付きフィルムユニット又は写真撮影用カメラであって、ユニット本体には前面にストロボ発光部が配置され、前記切換部材には、該切換部材が近接撮影位置にあるとき前記ストロボ発光部の前を少なくとも一部覆ってストロボ装置からの投射光量を制限する光量制限部が一体に形成されたことを特徴とするレンズ付きフィルムユニット又は写真撮影用カメラ。
【発明の詳細な説明】
【０００１】
【発明の属する技術分野】
本発明は、レンズ付きフィルムユニットや写真撮影用カメラのような写真撮影装置に関する。特に本発明は、撮影時に撮影者が撮影レンズを２又はそれ以上の焦点設定位置に選択的に設定できるようにするための撮影レンズのピント設定位置切換機構を備えた写真撮影装置に関する。もっと詳細に述べると、本発明は、例えばレンズ付きフィルムユニットや簡易カメラのような、簡易構造で、しかも撮影機能を持った製品に適用するのに適したファインダー機構に関する。
【０００２】
【従来の技術】
撮影レンズ及びシャッタを含む撮影機構が組み込まれ、製造の時点で予め未露光フィルムのロールがユニット本体内に装填されたレンズ付きフィルムユニットは、例えば、実用新案登録掲載公報第2,564,847 号公報に記載されている。このレンズ付きフィルムユニットは、撮影の度ごとに露光済みのフィルムがパトローネ内に巻き込まれていくように構成されており、ユーザは、ユニットを購入して撮影し、撮影終了後にそのままの状態で現像所に現像依頼をすればよく、簡便な撮影機能製品として広く市場に受け入れられている。
【０００３】
このレンズ付きフィルムユニットには、構造を簡単にし、製造価格を低く抑制できるようにするために、通常は、撮影レンズとして単玉又は２枚構成レンズが使用される。この撮影レンズは、ユニット本体に固定されて、特定の一点のみにピント合わせされた状態にある。したがって、ピント合わせされた距離にない被写体に対しては、撮影レンズの被写界深度を深くすることによっていわゆるピンぼけ状態を避けるようにする。しかし、最近では、レンズ付きフィルムユニットも、画面サイズや撮影レンズの焦点距離などについて、色々な種類のものが開発されており、多用な機能の製品が求められる状況にある。
【０００４】
このように多様化したレンズ付きフィルムユニットにおいては、使用される撮影レンズが長焦点距離のものである場合には、レンズのピント位置を製造時に正確に設定することが求められるようになっており、そのために、レンズの位置設定機構として種々の工夫をすることが必要になる。例えば、特開平7-261069号公報においては、望遠レンズを備えたレンズ付きフィルムユニットの製造段階で撮影レンズのピントを精密に設定し、その設定位置に該レンズを固定保持する機構が開示されている。しかし、このようなピント位置設定機構を備えたレンズ付きフィルムユニットにおいても、ピント位置設定後は、撮影レンズはその設定位置に固定されるため、複数のピント設定位置に撮影レンズを移動させることはできない。このような状況を考慮して、レンズ付きフィルムユニットその他の簡易カメラにおいて、例えば単玉又は２枚構成レンズのような単純な構成の撮影レンズを使用しながら、しかも、接近撮影や標準撮影、遠景撮影などの複数の異なる状況における撮影に適応でき、それぞれの場合において適切にピントが合った写真撮影を行うことができるような構造が望まれる。また、焦点距離が短い撮影レンズを使用して、被写体からの距離が例えば６０ｃｍ以内といった極めて接近した距離での近接撮影ができるように構成し、近接撮影時には正面側から撮影視野を確認して撮影者が自分自身を視野内に含めた構図で写真撮影ができるようにする反射型ファインダーを前面に出し入れ可能に設けたレンズ付きフィルムユニットも、特開平10-200834号公報により提案されている。しかし、この公開公報に開示されたレンズ付きフィルムユニットは、複数のピント設定位置を持つものではないため、接近撮影や標準撮影、遠景撮影などの複数の異なる状況における撮影に適応できるものではない。
【０００５】
【発明が解決しようとする課題】
本発明は、接近撮影や標準撮影、遠景撮影などの複数の異なる状況における撮影に適応でき、しかも近接撮影時には、正面側から撮影視野を確認して撮影者が自分自身を視野内に含めた写真撮影ができるようにする反射ファインダーを備えたレンズ付きフィルムユニットその他の簡易カメラのような写真撮影装置を提供することを課題とする。
【０００６】
【課題を解決するための手段】
上記課題を解決するため、本発明によるレンズ付きフィルムユニットは、ユニット本体にシャッタを含む撮影機構が組み込まれ、該ユニット本体内には、写真フィルムの一端を係止した回転自在なスプール軸を有するパトローネを収納するためのパトローネ収納室と、パトローネから引き出した未露光写真フィルムのロールを収納するためのフィルムロール収納室とが形成され、製造時にパトローネと該パトローネから引き出された未露光写真フィルムのロールがそれぞれパトローネ収納室とフィルムロール収納室に予め装填されており、撮影ごとにスプール軸を回転させて露光済みの写真フィルムをパトローネに巻き込むようにした形式のものであり、撮影レンズのピント設定位置を、予め定められた通常撮影位置と近接撮影位置の間で切り換える切換部材が設けられる。別の構成としては、レンズ付きフィルムユニットは、ユニット本体に対して固定関係にレンズ保持筒と、撮影レンズが固定されておりレンズ保持筒内に回転及び光軸方向の移動が可能なように配置されたレンズ枠と、レンズ保持筒とレンズ枠との間に設けられたカム機構と、予め定められた通常撮影位置と近接撮影位置の間を移動可能なようにカメラ本体に配置され、移動することによってレンズ枠を回転させ、カム機構の作用により該レンズ枠に光軸方向の移動を生じさせる切換部材とを備えるものとすることができる。本発明の特徴によれば、さらに、レンズ付きフィルムユニットには、撮影視野ファインダーが設けられ、該撮影視野ファインダーの前部に、ユニット後方から該ファインダーを通して被写体を視認できるように該被写体からの光の少なくとも一部を透過させる透光性部材が固定配置され、該切換部材が近接撮影位置にある時に透光性部材の背面の輝度を低下させて透光性部材における反射によりユニット前方から撮影視野の確認を容易にするための減光部材が撮影視野枠内に出し入れ可能に配置される。
【０００７】
本発明によるこのレンズ付きフィルムユニットにおいては、切換部材を操作することにより、撮影レンズのピント位置を、例えば４ｍ位置と６０ｃｍ位置の２つの位置に任意に切り換えることができる。また、別の形態としては、ピント設定位置を、例えば無限遠ピント位置と４ｍピント位置と６０ｃｍピント位置の３点に任意選択的に設定できるようになる。そして、近接撮影位置である６０ｃｍピント位置では、ユニットの正面から反射ミラーにより撮影視野を確認して、撮影者自身を撮影範囲に含む撮影が可能になる。
【０００８】
撮影視野ファインダーの前部に設けられる透光性部材は、通常撮影位置でユニット後方から該ファインダーを通して被写体を視認することができる程度の透光性を有する。本発明の好ましい態様においては、この透光性部材は、透明材料に反射性材料を蒸着したハーフミラーとする。ハーフミラーは、比較的反射率の低いものが本発明の目的にとって好ましく、反射対透過の比率は、０：１０ないし５：５とすることが望ましい。反射率が０ということは、透光性部材が透明体であるということを意味するが、このような場合にも、透光性部材の背面に減光部材を挿入することにより該透光性部材において反射を生じさせ、ユニット前面からの撮影視野の確認をすることが可能になる。
【０００９】
本発明の別の形態では、切換部材が近接撮影位置にあるとき撮影視野ファインダーに重なって撮影レンズとファインダー視野の視差を補正するための近接撮影視野の範囲を示す近接視野枠が切換部材に一体に設けられ、減光部材はこの近接視野枠に配置される。さらに、本発明によるレンズ付きフィルムユニットにおいては、ユニット本体の前面にストロボ発光部を配置し、切換部材には、該切換部材が近接撮影位置にあるときストロボ発光部の前を少なくとも一部覆ってストロボ装置からの投射光量を制限する光量制限部を一体に形成することもできる。この光量制限部は、切換部材が通常撮影位置にあるとき、反射ミラーの少なくとも一部を覆うように構成することもできる。
【００１０】
さらに、本発明は、固定焦点距離の撮影レンズと、シャッタ機構を含む撮影機構と、前記撮影レンズを近接撮影位置と通常撮影位置を含む複数のピント設定位置に切り換える切換部材とを備えた写真カメラを提供するものである。この写真カメラにおいても、撮影視野ファインダーは、前述したレンズ付きフィルムユニットにおけると同様の構成を備えることができる。
【００１１】
【発明の実施の形態】
以下、本発明をレンズ付きフィルムユニットに適用した実施の形態について図面を参照して説明するが、レンズ付きフィルムユニット以外の簡易カメラについても同様に本発明を適用できる。
【００１２】
図１は、本発明を実施したレンズ付きフィルムユニット１の一例を示す分解斜視図である。レンズ付きフィルムユニット１は、本体部３ａと前カバー３ｂと裏蓋３ｃとからなるユニット本体３を備える。図２に示すように、本体部３ａと裏蓋３ｃの間には、両端部にそれぞれパトローネ収納室５とフィルムロール収納室７が形成される。本体部３ａには、中央部に露光開口９が形成されている。
【００１３】
レンズ付きフィルムユニット１の製造段階において、パトローネ１１入りの写真フィルムが用意され、パトローネ１１から未露光のフィルム１１ａが引き出されてフィルムロール１１ｂが形成される。未露光フィルム１１ａのパトローネ側の端は、該パトローネ１１内に回転自在に配置されたスプール軸１１ｃに固定される。
【００１４】
パトローネ１１はパトローネ収納室５内に収納され、フィルムロール１１ｂはフィルムロール収納室７に収納される。その後で、裏蓋３ｃが本体部３ａの裏側に取り付けられ、光密に固定される。別の実施形態としては、フィルムロール室７に巻き取り軸（図示せず）を設け、フィルムパトローネ１１をパトローネ室５内に装填した後、フィルム１１ａのリーダー部を該巻き取り軸に取り付けて裏蓋３ｃを閉じ、ユニット本体３の組立後に巻き取り軸を駆動回転させて、フィルムパトローネ１１から未露光フィルム１１ａを引き出し、巻き取り軸にロール状に巻き取るようにしてもよい。裏蓋３ｃの内面には、露光開口９の後側に対応する位置にフィルム受け部３ｄが設けられ、パトローネ１１とフィルムロール１１ｂの中間位置にある未露光フィルム１１ａは、本体部３ａの裏側に形成されたフィルム支持部３ｅとこのフィルム受け部３ｄの間で保持される。
本体部３ａの前面には、レンズ保持筒１３ａを有するレンズホルダー１３が固定される。レンズ保持筒１３ａは、本体部３ａに形成した露光開口９と同軸に配置される。レンズホルダー１３と本体部３ａの間には、シャッタ機構を構成するセクター羽根１５が配置される。このセクター羽根１５を含むシャッタ機構は、フィルム１１ａの巻き上げ操作によりチャージされ、ユニット本体３の上面に設けられるシャッタレリーズボタンを押すことでレリーズされる。このシャッタ機構及びその作動機構はレンズ付きフィルムユニットの分野で周知であるので、詳細な説明は省略する。パトローネ１１へのフィルムの巻き上げのために、本体部３ａの上面には、パトローネ収納室５の上方位置にフィルム巻き上げノブ１１ｄが回転自在に設けられ、このフィルム巻き上げノブ１１ｄがパトローネ１１のスプール軸１１ｃに結合される。
【００１５】
レンズ保持筒１３ａは円筒形であり、レンズホルダー１３と一体にプラスチック材料により成型される。レンズ保持筒１３ａ内には、レンズ保持枠１７が回転及び軸方向移動自在に配置される。レンズ保持枠１７には、撮影レンズ１９が固定される。このレンズ１９は、単玉又は２枚構成の固定焦点距離レンズである。レンズ保持枠１７内には、レンズ１９より後側に、固定第１絞り２１が設けられる。本例では、撮影レンズ１９は焦点距離が１３５mmフィルム換算で３０mm程度の標準レンズであり、固定絞り２１は、標準撮影用のＦ１０程度の絞り値を有する。
【００１６】
図示した実施態様のレンズ付きフィルムユニット１は、ストロボ装置を内蔵する形式である。ストロボ装置２３は、ストロボ発光部２３ａと該ストロボ発光部２３ａの発光を制御する制御回路を備えたプリント基板２３ｂと充電用コンデンサ２３ｃを備える。ストロボ発光部２３ａと充電用コンデンサ２３ｃは、プリント基板２３ｂ上に支持される。本体部３ａには、露光開口９の上方にファインダー用対物レンズ２５が嵌め込まれたファインダー窓２７が形成されており、前側から本体部３ａを見たときストロボ発光部２３ａがファインダー窓２７より右側に位置するような関係で、プリント基板２３ｂが本体部３ａに固定される。
【００１７】
ストロボ装置２３のプリント基板２３ｂの前方には、ストロボ充電用スイッチ板２９が配置される。スイッチ板２９は、受け板２９ｂを介してプリント基板２３ｂ上に配置される。スイッチ板２９は、上下方向に摺動的に動くことができ、充電スイッチつまみ２９ａが一体に設けられ、このスイッチつまみ２９ａを充電位置に置くことによってストロボ装置２３のコンデンサ２３ｃが充電される。コンデンサ充電用の電池３０は、レンズ付きフィルムユニットの技術分野で周知のように、図３に示すユニット本体３の下部に収納される。
【００１８】
本体部３ａの前面には、前カバー３ｂが取り付けられる。前カバー３ｂは、本体部３ａの前面のほぼ全体を覆うように形成されており、本体部３ａのファインダ−窓２７に重なるファインダー窓２７ａと、ストロボ発光部２３ａを前面に露出させるためのストロボ窓２３ｄと、スイッチ板２９上のスイッチつまみ２９ａをそのストローク範囲でユニット本体３の前面に露出させるためのストロボスイッチ開口２９ｃと、レンズホルダー１３のレンズ保持筒１３ａを通すためのレンズ開口１３ｂとを有する。図２及び図３に示すように、レンズ保持筒１３ａは、前カバー３ｂのレンズ開口１３ｂを通って前方に延びる。
【００１９】
前カバー３ｂの前面には外カバー３１が取り付けられる。外カバー３１には、前カバー３ｂのファインダー窓２７ａと重なる位置にファインダー窓２７ｂが形成される。外カバー３１に形成したファインダー窓２７ｂには、図３に示すようにハーフミラー３２が固定される。このハーフミラー３２は、表又は裏面のいずれか一方に反射性材料を蒸着した構成で、反射対透過の比率は、０：１０ないし５：５とする。また、外カバー３１は、レンズ保持筒１３ａの前端を受け、撮影光を通すためのレンズ開口１３ｃを有する。外カバー３１と前カバー３ｂの間に横方向に移動可能な切換枠部材３３が配置される。図４は、この実施形態によるレンズ付きフィルムユニット１を正面からみた外観図である。
【００２０】
図５及び図６に、本発明を実施した撮影レンズのピント設定位置切換機構の詳細を示す。レンズホルダー１３から前方に延びるレンズ保持筒１３ａは、前面側に向いたカム面３５を有する。図示した実施態様では、このカム面３５は、レンズ１９の引っ込み位置を定める第１面３５ａと、レンズ１９の突出位置を定める第２面３５ｂ、及び第１面３５ａと第２面３５ｂの間を結ぶ斜面３５ｃとから構成される。カム面３５の前方には、該カム面３５から所定の間隔をおいて押さえ部３７が形成されている。したがって、カム面３５と押さえ部３７の間には、カム溝３９が形成される。カム溝３９は、レンズ保持筒１３ａの周方向に複数個所（例えば３個所）等間隔に形成される。一つのカム溝３９を形成している押さえ部３７の周方向の一端と、これに隣接するカム溝３９を形成する押さえ部３７の周方向の隣接端との間には、所定幅の光軸方向の溝４１が形成される。
【００２１】
レンズ枠１７には、複数の個所（例えば、図示したように周方向に等間隔に３本）のカム従動ピン１７ａが半径方向外向きに突出するように設けられる。このカム従動ピン１７ａは、溝４１からカム溝３９に挿入される。レンズ保持筒１３ａの押さえ部３７は弾性を有し、カム従動ピン１７ａを弾性的にカム面３５に押し付ける。図５に、カム従動ピン１７ａがカム溝３９に係合する状態を示す。
【００２２】
図５に示すように、切換部材３３は、中央に横長の開口３３ａを有する枠部材として構成される。切換部材３３は、レンズ保持筒１３ａが開口３３ａ内に挿入される状態で、該外カバー３１と前カバー３ｂの間に配置される。切換部材３３は、その後方に突出する一対のレンズ駆動ピン３３ｂを有し、このレンズ駆動ピン３３ｂの間にレンズ枠１７上のカム従動ピン１７ａが挟まれる。切換部材３３の下部には切換つまみ３３ｃが形成されており、この切換つまみ３３ｃが図４に示すように外カバー３１に形成したスリット３１ａから前方に突出する。したがって、この切換つまみ３３ｃを操作することによって切換部材３３を横方向に移動させることができる。切換部材３３が横方向に移動すると、該切換部材３３上のレンズ駆動ピン３３ｂがレンズ枠１７上のカム従動ピン１７ａに係合してレンズ枠１７を回転させる。このレンズ枠１７の回転により、カム従動ピン１７ａがカム面３５上を摺動してカム作用を受け、レンズ枠１３ａが光軸方向に移動する。
【００２３】
切換部材３３が被写体に向かって右側の位置に設定されると、カム従動ピン１７ａがカム面３５の第１面３５ａに係合するようになり、カム従動ピン１７ａがこの位置にあるときには、レンズ枠１７及び撮影レンズ１９が後方位置に置かれ、撮影レンズ１９は、遠距離、例えば４ｍの距離にピント設定がされた通常撮影のためのピント位置にある。逆に、切換部材３３が被写体に向かって左側の位置に設定され、カム従動ピン１７ａがカム面３５の第２面３５ｂ上にあるときには、レンズ枠１７及び撮影レンズ１９が前方位置に前進させられ、近距離、例えば６０ｃｍの距離にピント設定された近接撮影のためのピント位置になる。
【００２４】
図５に示すように、被写体に向かって切換部材３３の右側には、開口３３ａ内に横向きに延びるように絞りアーム３３ｄが形成され、この絞りアーム３３ｄの先端に第２絞り３３ｅが形成されている。第２絞り３３ｅは、レンズ枠１７に設けられる第１絞り２１より小さい絞り開口を有する。切換部材３３が被写体に向かって左方向に動かされ、撮影レンズ１９が前方に繰り出されるとき、切換部材３３の絞りアーム３３ｄがレンズ保持筒１３ａに形成されたスリット３９ａを通って撮影レンズ１９の後方位置に挿入される。このとき、絞りアーム３３ｄの先端の第２絞り３３ｅが撮影レンズ１９の光軸上に位置する。このため、撮影用絞り開口は、第１絞りによるものよりも小さくなり、焦点深度が深くなる。その結果、接近撮影の場合のピンぼけ状態が回避される。
本発明の図示した実施形態では、図１及び図５に示すように、切換部材３３の上部にファインダー枠４３が一体に形成されている。ファインダー枠４３は、横方向のほぼ中央部に、切換部材３３が被写体に向かって右側位置にある通常撮影状態でユニット本体３の本体部３ａのファインダー窓２７に重なる位置にくる開口４３ａを有する。被写体に向かって開口４３ａの右側には、近接撮影時の撮影視野を示すための近接視野枠４３ｂが形成されている。本発明のこの実施の形態では、図３及び図４に示すように、ファインダー枠４３の近接視野枠４３ｂに、例えばＮＤフィルタのような減光部材４４が固定配置される。
【００２５】
開口４３ａを挟んで近接視野枠４３ｂの反対側は光量制限部４３ｃである。このファインダー枠４３は、切換部材３３の横方向移動に伴ってユニット本体３の前カバー３ｂと外カバー３１の間を前カバー３ｂの前面に沿って横方向に移動する。
【００２６】
切換部材３３が通常撮影位置にあるとき、ファインダー枠４３の開口４３ａが前カバー３ｂのファインダー窓２７ａに重なり、撮影者は、本体部３ａのファインダー窓２７に固定したファインダー用対物レンズ２５、接眼レンズ及び外カバー３１のファインダー窓２７ｂに固定したハーフミラー３２を通して被写体を見て撮影の構図を定めることができる。このときは、ファインダー枠４３の光量制限部４３ｃはストロボ発光部２３ａとファインダー窓２７の間にあり、ストロボ発光部２３ａは、全体が前面に露出された状態にある。また、ファインダー枠４３の近接視野枠４３ｂと該近接視野枠４３ｂに固定して配置した減光部材４４は、ファインダー窓２７から横方向に退避した位置にある。したがって、撮影視野ファインダーを通る被写体からの光は減光部材４４により遮られることがなく、十分な明るさで被写体を視認することができる。
【００２７】
ここで、切換部材３３を被写体に向かって左側方向に動かすと、前述したように撮影レンズ１９が前方に繰り出されて近接撮影状態となり、同時に、ファインダー枠４３が同方向に移動し、図４に示す状態になる。この位置では、近接視野枠４３ｂがファインダー窓２７ｂ内にあり、撮影者はこの近接視野枠４３ｂを介して近接撮影時の撮影範囲を確認することができる。同時に、該近接視野枠４３ｂに固定配置した減光部材４４がファインダー窓２７の前部に固定配置されたハーフミラー３２の背後に挿入されるので、該ハーフミラー３２の背後の輝度が低下し、前面側から見た状態での見かけ上の反射率が高くなる。したがって、撮影者が自分を撮影範囲に入れて撮影しようとする場合には、レンズ付きフィルムユニット１の前面側から該ハーフミラー３２により撮影範囲を確認することができる。ハーフミラー３２の取り付け位置と取り付け角度及びミラー面の形状は、ハーフミラー３２をこのように反射ファインダーとして使用する場合のパララックスを補正できるように定めることが好ましい。さらに、この近接撮影位置では、ファインダー枠４３に形成された光量制限部４３ｃが前カバー３ｂのストロボ窓２３ｄの前面にあり、ストロボ発光部２３ａを覆うようになるので、ストロボ装置からの光は光量制限部４３ｃの両脇を通ってしか前方に射出されず、ストロボ光の光量が制限される。したがって、この構成により、近接撮影時の露出過剰状態を回避できる。なお、光量制限部４３ｃは図示例のように光量制限部の大きさをストロボ窓２３ｄの一部を覆う形状とせず、小孔を設けた構成としてもよい。
【００２８】
以上は、製造段階で予め未露光フィルムがユニット内に装填された形式のレンズ付きフィルムユニットに本発明のファインダー装置を実施した実施の形態についての説明であるが、本発明は、このようなレンズ付きフィルムユニットへの適用に限らず、使用者がフィルムを装填する形式の写真カメラにも同様に適用できる。
【００２９】
以上の説明から明らかなように、本発明によれば、近接撮影に適したピント設定位置を含む複数のピント設定位置をもち、撮影者が前面に位置して自分を被写体の一部として撮影を行うことを可能にする写真撮影装置のためのファインダー装置を得ることができる。また、透光性部材を反射率が十分に低い構成とする実施形態では、撮影者が前面に位置して自分を被写体の一部として撮影しようとする場合に、ピント設定が近接撮影位置にない状態であれば、透光性部材における反射が少ないため、撮影者はピント設定が適切でないことを知ることができ、ピンぼけ状態の写真が撮影される可能性を減らすことができる。
【図面の簡単な説明】
【図１】  本発明を実施したレンズ付きフィルムユニットの全体を示す分解斜視図である。
【図２】  図１に示すレンズ付きフィルムユニットの水平断面図である。
【図３】  図１に示すレンズ付きフィルムユニットの垂直断面図である。
【図４】  図１に示すレンズ付きフィルムユニットの近接撮影状態における正面図である。
【図５】  本発明の一実施形態における撮影レンズのピント設定位置切換機構を示す分解斜視図である。
【図６】  本発明の一実施形態における撮影レンズのピント設定位置切換機構における切換部材の配置を示す分解斜視図である。
【符号の説明】
３・・・ユニット本体、３ａ・・・本体部、３ｂ・・・前カバー、
３ｃ・・・裏蓋、５・・・パトローネ室、７・・・フィルムロール室、
９・・・露光開口、１１・・・フィルムパトローネ、
１３・・・レンズホルダー、１３ａ・・・レンズ保持筒、
１７・・・レンズ枠、１９・・・撮影レンズ、２１・・・第１絞り、
２５・・・ファインダー対物レンズ、３２・・・ハーフミラー、
３３・・・切換部材、３３ａ・・・開口、３３ｂ・・・レンズ駆動ピン、
３３ｅ・・・第２絞り、３５・・・カム面、３９・・・カム溝、
４３ｂ・・・近接視野枠、４３ｃ・・・光量制限部、４４・・・減光部材
【図１】
0003820059.tif 000002
【図２】
0003820059.tif 000003
【図３】
0003820059.tif 000004
【図４】
0003820059.tif 000005
【図５】
0003820059.tif 000006
【図６】
0003820059.tif 000007